(57)【要約】    【課題】  単位用紙を積層状態で接着するときに、羽根車やプレス板等の押圧機構など、複雑な機構を必要とすることなく、部品点数の少ない簡単な構造で製本が行えるようにし、また、単位用紙を、表紙から最終頁への順番で搬送でき、作成した冊子を作成順に装置を止めることなく取り出せようにする。    【解決手段】  複数枚の単位用紙を連続して搬送する搬送手段１６と、該搬送手段１６により搬送された単位用紙１２を上下方向に順次積層し、且つ、積層された所望枚数の単位用紙１２を、重ね合わせ面の所定箇所に塗布された糊によって互いに接着することにより冊子を作成する、積層手段１５と、を備え、積層手段１５に先に搬送された単位用紙１２の下側に、次の単位用紙１２を搬送することによって、単位用紙１２を順次下方に積層するようにした。【選択図】  図１
2006168312.tif 000002
【特許請求の範囲】
【請求項１】
複数枚の単位用紙を連続して搬送する搬送手段と、該搬送手段により搬送された単位用紙を上下方向に順次積層し、且つ、積層された所望枚数の単位用紙を、重ね合わせ面の所定箇所に塗布された糊によって互いに接着することにより冊子を作成する、積層手段と、を備えている製本装置において、
前記積層手段に先に搬送された単位用紙の下側に、次の単位用紙を搬送することによって、単位用紙を順次下方に積層するようにしたことを特徴とする、製本装置。
【請求項２】
単位用紙に対する糊の塗布が、単位用紙の搬送時に、単位用紙上面に行われる、請求項１に記載の製本装置。
【請求項３】
前記積層手段が、前記搬送手段の搬送方向終端部に位置し、単位用紙を載置する載置部を有しており、
前記搬送手段が、前記載置部の搬送方向上流側の位置に、下方から単位用紙を前記載置部に搬送するように、載置部に相対して傾斜した搬送部を有している、請求項１に記載の製本装置。
【請求項４】
単位用紙が載せられていない前記積層手段上に、又は、前記積層手段に載せられた単位用紙上に、載置されるとともに、単位用紙が載せられていない前記積層手段上に載置されたときに、１枚目の単位用紙がその下側に搬送されることによって当該単位用紙を上から押さえる、押さえ部材を備えている、請求項１に記載の製本装置。
【請求項５】
前記積層手段が、単位用紙の幅方向の載置位置を規制する横位置規制部と、単位用紙の搬送方向前後の載置位置を規制する縦位置規制部と、を有しており、
前記横位置規制部が、積層された単位用紙全体を位置規制する横規制部材を有し、
前記縦位置規制部が、積層された単位用紙全体の搬送方向後側を位置規制する後規制部材と、載置された単位用紙の搬送方向前側を位置規制する前規制部材と、を有し、
前記前規制部材の高さが、前記横規制部材及び前記後規制部材よりも低く形成されている、請求項１記載の製本装置。
【請求項６】
単位用紙に糊を塗布する糊塗布手段と、単位用紙に設けた識別部を検出する読み取り手段と、を備え、
前記糊塗布手段が、読み取り手段による前記識別部の検出に基づいて制御され、
前記識別部が、作成する冊子の枚数情報を含んでいる、請求項１に記載の製本装置。
【請求項７】
前記積層手段上の単位用紙が所定の積層量に達したことを検出する積層量検知手段と、
該積層量検知手段の検出に基づき単位用紙が所定の積層量に達したことを報知する報知手段と、
前記積層量検知手段による検出状態が所定時間以上経過したときに、製本装置を停止する停止手段と、を備えている、請求項１に記載の製本装置。
【発明の詳細な説明】
【技術分野】
【０００１】
本発明は、製本装置、特に、複数枚の単位用紙（例えば、連続用紙をカットしてなる単位用紙）を所定箇所で糊により接着して冊子を作成する、製本装置に関するものである。
【背景技術】
【０００２】
この種の製本装置として、下記特許文献１〜３に記載のものがある。これらの技術は、いずれも、複数枚の単位用紙を連続して搬送するとともに、搬送された単位用紙を順次積層し、積層された所望枚数の単位用紙を、重ね合わせ面の所定箇所に塗布された糊で互いに接着することにより、冊子を作成するものである。
【０００３】
特許文献１〜３では、搬送過程において、表紙以外の単位用紙の表面（上面）に糊を塗布するようになっている。そして、積層過程では、単位用紙を上下方向に積層する方法（特許文献１、２）と、単位用紙を縦向きにして搬送方向前後に積層する方法（特許文献２，３）のいずれかが採用されている。
【０００４】
【特許文献１】特許第２９３４５６９号公報
【特許文献２】特許第３０７９５０５号公報
【特許文献３】特開平１１−２４５５３８号公報
【発明の開示】
【発明が解決しようとする課題】
【０００５】
特許文献１は、図９に示すように、積層過程において、搬送された単位用紙１２を順次上へ上へと積み重ねるようになっている。一方、糊Ｎは、表紙Ｐｆ以外の単位表紙１２の上面に塗布されるため、冊子を作成するには、単位用紙の搬送の順序を、最終頁Ｐｒから表紙Ｐｆへの順にしなければならない。このため、例えば、印刷装置から送られた用紙を製本する場合、当該印刷装置における印刷順も逆にしなければならないという不都合があった。
【０００６】
また、特許文献１の技術では、積層された単位用紙１２を接着するために、単位用紙を上から押圧するプレス板Ｄを必要としており、これにより構造が複雑になるとともに、製本された冊子を積層位置から取り出すためには、機械全体を停止させなければならない。
【０００７】
更に、単位用紙１２が順次上方に積層されることによって、複数の冊子が積み重なった状態で作成されていくが、この冊子を積層位置から取り出す場合には、上から順に、すなわち、新しく作成された冊子から取り出さなければならず、最初に作成されたものが後に残ってしまうという不都合があった。
【０００８】
特許文献２には、積層過程において、搬送された単位用紙を順次上方に積層する方法（図９）と、搬送方向前後に積層する方法（図１０）との両方が開示されており、上方に積層する方法は、特許文献１と略同様の不都合がある。
【０００９】
図１０に示すように、単位用紙１２を搬送方向に積層する場合、搬送された単位用紙を、表面が搬送方向前側に向くように縦向きにし、その後方に順次積層するようになっているため、搬送順序を、表紙Ｐｆから最終頁Ｐｒへの順にすることができ、上記のような問題は生じない。
【００１０】
しかし、用紙を縦向きにするための機構、具体的には、多数の羽根を放射状に備えると共に、水平に送られた単位用紙を羽根間に挿入し、回転することによって単位用紙を縦向きにする羽根車を必要としている。また、羽根車は、積層された単位用紙を接着のために搬送方向後側から押圧するためにも必要であり、かかる羽根車を備えることによって、部品点数が増大し、構造が非常に複雑となる。
【００１１】
また、この技術では、縦向きとされた単位用紙の表面（搬送方向前面）をストッパＳにより支持し、単位用紙の積層量が増えるに従い、ストッパＳを矢印方向Ｑに移動させるようにしている。このようなストッパＳを必要とすることで、構造が複雑になるとともに、単位用紙の搬送とストッパＳの移動とを同期させなければならず、この同期は搬送スピードが速くなるほど困難である。また、積層量に応じてストッパＳの位置を制御しているため、運転中に、製本された冊子を取り出すことができず、一旦、装置を完全に停止しなければならない。また、冊子を取り出したあと再度製本を始めるには、ストッパＳを初期位置に設定し直さなければならないという欠点があった。
【００１２】
特許文献３は、単位用紙を縦向きにして搬送方向前後に積層している点で特許文献２と同じであるが、縦向きにする方法として、搬送コンベアを水平から垂直に屈曲させている。このため、上記羽根車を備えることによる不都合は生じないが、その他の不都合は同様に生じる。
【００１３】
本発明は、上記の問題点に鑑みてなされたものであり、単位用紙を積層状態で接着するときに、羽根車やプレス板等の押圧機構など、複雑な機構を必要とすることなく、部品点数の少ない簡単な構造で製本が行えるようにすることを目的とする。また、単位用紙を、表紙から最終頁への順番で搬送でき、さらに、作成した冊子を、装置を止めることなく作成順に取り出せるようにすることを目的とする。
【課題を解決するための手段】
【００１４】
請求項１記載の発明は、複数枚の単位用紙を連続して搬送する搬送手段と、該搬送手段により搬送された単位用紙を上下方向に順次積層し、且つ、積層された所望枚数の単位用紙を、重ね合わせ面の所定箇所に塗布された糊によって互いに接着することにより冊子を作成する、積層手段と、を備えている製本装置において、前記積層手段に先に搬送された単位用紙の下側に、次の単位用紙を搬送することによって、単位用紙を順次下方に積層するようにしたことを特徴としている。
【００１５】
請求項２記載の発明は、請求項１に記載の発明において、単位用紙に対する糊の塗布が、単位用紙の搬送時に、単位用紙上面に行われることを特徴としている。
【００１６】
請求項３記載の発明は、請求項１に記載の発明において、前記積層手段は、前記搬送手段の搬送方向終端部に位置し、単位用紙を載置する載置部を有しており、前記搬送手段は、前記載置部の搬送方向上流側の位置に、下方から単位用紙を前記載置部に搬送するように、載置部に相対して傾斜した搬送部を有していることを特徴としている。
【００１７】
請求項４記載の発明は、請求項１に記載の発明において、単位用紙が載せられていない前記積層手段上、又は、前記積層手段に載せられた単位用紙上に載置されるとともに、単位用紙が載せられていない前記積層手段上に載置されたときに、１枚目の単位用紙がその下側に搬送されることによって当該単位用紙を上から押さえる、押さえ部材を備えることを特徴としている。
【００１８】
請求項５記載の発明は、請求項１記載の発明において、前記積層手段は、単位用紙の幅方向の載置位置を規制する横位置規制部と、単位用紙の搬送方向前後の載置位置を規制する縦位置規制部と、を有しており、前記横位置規制部は、積層された単位用紙全体を位置規制する横規制部材を有し、前記縦位置規制部は、積層された単位用紙全体の搬送方向後部を位置規制する後規制部材と、載置された単位用紙の搬送方向前側を位置規制する前規制部材と、を有し、前記前規制部材の高さが、前記横規制部材及び前記後規制部材よりも低く形成されていることを特徴としている。
【００１９】
請求項６記載の発明は、請求項１に記載の発明において、単位用紙に糊を塗布する糊塗布手段と、単位用紙に設けた識別部を検出する読み取り手段と、を備え、前記糊塗布手段が、読み取り手段による前記識別部の検出に基づいて制御され、前記識別部が、作成する冊子の枚数情報を含んでいることを特徴としている。
【００２０】
請求項７記載の発明は、請求項１に記載の発明において、前記積層手段上の単位用紙が所定の積層量に達したことを検出する積層量検知手段と、該積層量検知手段の検出に基づき単位用紙が所定の積層量に達したことを報知する報知手段と、積層量検知手段による検出状態が所定時間以上経過したときに、製本装置を停止する停止手段と、を備えることを特徴としている。
【発明の効果】
【００２１】
請求項１の発明によれば、搬送手段で搬送された単位用紙を積層手段で順次下方に積層することによって、次の効果を奏する。
【００２２】
（１）積層手段に送られた単位用紙には、既に積層されている単位用紙の重量がかかるため、プレス装置等の押圧機構がなくても接着が促進される。
【００２３】
（２）単位用紙の表面に糊を塗布した場合でも、冊子の表紙から最終頁の順で単位用紙を搬送することができる。
【００２４】
（３）積層手段において作成した冊子を、装置を止めることなく、上から作成順に取り出すことが可能になる。
【００２５】
請求項２の発明によれば、冊子の表紙から最終頁の順で単位用紙を搬送することができる。
【００２６】
請求項３の発明によれば、請求項１の発明を簡単な構造で好適に実現できる。
【００２７】
請求項４の発明によれば、積層手段に一枚目の単位用紙を搬送するとき、当該単位用紙が押さえ部材により押さえられるので、勢い等で捲れ上がることを防止でき、２枚目以降の単位用紙を搬送したときは、押さえ部材の重量で単位用紙の接着を促進できる。
【００２８】
請求項５記載の発明によれば、積層手段上で作成された冊子を、横規制部材及び後規制部材よりも低く形成された前規制部材側から、容易に取り出すことができる。
【００２９】
請求項６記載の発明によれば、製本する冊子の頁数が一定でなく冊子ごとに異なる場合等に、識別部に含まれた冊子の枚数情報を検出することで、糊を塗布すべき単位用紙を簡単に判断することができる。
【００３０】
請求項７の発明によれば、積層量検知手段及び報知手段によって、所定の積層量に達したことをオペレータに知らせることができるので、冊子が積層手段に過剰に積層される前に冊子を取り出すことが可能となる。仮に、オペレータが冊子を取り出さなかった場合には、停止手段によって製本装置を停止することで、積層手段に冊子が過剰に積層されるのを防止できる。
【発明を実施するための最良の形態】
【００３１】
以下、本発明の実施形態を図面を参照して説明する。図１は、本発明の実施形態にかかる製本装置１０の側面断面図であり、該製本装置１０は、用紙の供給装置１１に隣接して配置されている。
【００３２】
本実施形態の供給装置１１は、単位用紙１２が連なった連続用紙１３を単位用紙１２ごとに折りたたんだ状態でセットし、この連続用紙１３を引き出しながら、幅方向両側の送り孔用マージンをミシン目で破断し、装置上部の破断部１４によって、幅方向に延びるミシン目で単位用紙１２ごとに破断するようになっている。そして、供給装置１１によって形成された複数枚の単位用紙１２は、製本装置１０に向けて順次連続的に供給されるようになっている。
【００３３】
製本装置１０は、供給された複数枚の単位用紙１２を受け取って連続的に搬送する搬送手段１６と、搬送された単位用紙１２を順次上下方向に積層する積層手段１５と、搬送の過程で、所定の単位用紙１２の所定箇所に糊を塗布する糊塗布手段１７と、を備えており、これらは、装置フレーム１８の上部に配置され、図示しない制御装置により動作制御される。図中Ｘは、単位用紙１２の搬送方向Ｘを示す。装置フレーム１８上部には操作盤２６が設けられており、操作盤２６を介して各種の設定入力が行えるようになっている。
【００３４】
また、製本装置１０は、積層手段１５上の単位用紙１２の積層量を検出する積層量検知手段１９（図４）と、該積層量検知手段１９の検出を報知する報知手段（図示略）と、積層量検知手段１９による検出状態が所定時間以上続いたときに、製本装置１０を停止する停止手段（図示略）と、を備えている。
【００３５】
〔搬送手段１６の構成〕
図２は、製本装置１０の平面図であり、図１及び図２に示すように、搬送手段１６は、供給装置１１から単位用紙１２を受け取る第１搬送部２２と、この第１搬送部２２から単位用紙１２を受け取り、積層手段１５に搬送する第２搬送部２３と、を備えている。
【００３６】
第１搬送部２２は、上側搬送具２４と下側搬送具２５とを備え、各搬送具２４，２５は、複数のローラ２０にベルトを掛け渡してなる左右一対のベルトコンベアを備えている。単位用紙１２は、上側搬送具２４と下側搬送具２５の間に挟まれた状態で搬送される。
【００３７】
図３は、搬送手段（第２搬送部）及び積層手段１５を拡大して示す側面図である。第２搬送部２３は、上側搬送具２７と下側搬送具２８とを備え、各搬送具２７，２８は、複数のローラ２０にベルトを掛け渡してなる左右一対のベルトコンベアを備えている。単位用紙１２は、上側搬送具２７と下側搬送具２８の間に挟まれた状態で搬送される。
【００３８】
図２に示すように、各搬送具２４，２５，２７，２８におけるベルトコンベアのローラ２０は、装置フレーム１８の左右側板２９間に架設された軸２１に支持されている。また、図１に示すように、第１搬送部２２は、その下方に配設された第１モータ３０の出力により駆動され、第２搬送部２３は、第２モータ３１の出力により駆動されるようになっている。第１搬送部２２と第２搬送部２３との間には、単位用紙１２の跳ね上がりを防止して、受け渡しを円滑にするガイド板５２が設けられている。
【００３９】
図３に示すように、第２搬送部２３は、下側搬送具２８が、上側搬送具２７よりも搬送方向Ｘ前側（下流側）に長く延長されており、この延長部分が後述する積層手段１５の載置部３２を構成している。また、上側搬送具２７のベルトコンベアは、下側２つ、上側１つの３角配置された３つのローラ２０Ａ，２０Ｂ，２０Ｃにベルトを巻回することによって構成されている。この３つのローラのうち、搬送方向後側のローラ２０Ｃは、第２モーター３１により回転される軸２１Ｃに固定された駆動ローラであり、他の２つのローラ２０Ａ，２０Ｂは従動ローラであって、それぞれ軸２１Ａ，２１Ｂに相対回転自在に支持されている。
【００４０】
第２搬送部２３は、搬送方向後部の略水平な水平搬送部３３と、搬送方向前部の、搬送方向下流側が高位となるように傾斜した傾斜搬送部３４とを有しており、水平搬送部３３は、積層手段１５の載置部３２よりも低位置に配置され、傾斜搬送部３４は、水平搬送部３３と載置部３２とに連なるように傾斜配置されている。載置部３２は略水平姿勢に配置されているため、傾斜搬送部３４は、載置部３２に対して相対的に傾斜している。傾斜搬送部３４の傾斜は、上側搬送具２７の下前側ローラ２０Ｂで、下側搬送具２８のベルトを押し下げることによって、下側搬送具２８の中間ローラ２０Ｄとの間に形成されている。
【００４１】
〔糊塗布手段１７の構成〕
図１及び図２に示すように、糊塗布手段１７は、搬送手段１６の第１搬送部２２に対応して設けられており、糊を噴射するノズル部３５と、搬送された単位用紙１２を検出する用紙検出センサー３６とを有している。ノズル部３５は、単位用紙１２の幅方向（搬送方向Ｘに直交する方向）の一側部に対応して配置され、単位用紙１２の上面に、搬送方向Ｘに沿って線状、点線状、点状等に糊を塗布するようになっている。ノズル部３５は、単位用紙１２から上方に離れた位置から糊を噴射して塗布するものや、単位用紙１２に接触した状態で糊を塗布するもの等を採用することができる。
【００４２】
用紙検出センサー３６は、反射式のフォトセンサーが採用されており、ノズル部３５とは反対側の、単位用紙１２の幅方向他側部に対応して配置されている。そして、ノズル部３５は、用紙検出センサー３６が単位用紙１２を検出している間だけ糊を噴射する制御手段によって制御されている。
【００４３】
本実施形態では、２つの用紙検出センサー３６が、ノズル部３５を搬送方向Ｘに挟むように配置されている。そして、ノズル部３５は、両方の用紙検出センサー３６が単位用紙１２を検出している間だけ糊を噴射するようになっている。
【００４４】
図６は、製本装置により単位用紙１２を搬送し、積層して冊子Ｂを作成する様子を概略的に示した斜視図である。製本装置１０は、冊子Ｂの表紙Ｐｆとなる単位用紙１２には糊Ｎを塗布せず、次頁以降の単位用紙１２の上面に糊Ｎを塗布し、これらを積層することによって１冊分の単位用紙１２を接着するようになっている。
【００４５】
この表紙Ｐｆとなる単位用紙１２を判断するため、上記用紙検出センサー３６は、単位用紙１２の通過を検出することによって、搬送した単位用紙１２の数をカウントするためにも用いられている。そして、予め設定された冊子Ｂの頁数と、カウントした枚数とによって、表紙Ｐｆとなる単位用紙１２を判断し、表紙Ｐｆの単位用紙１２に対して糊Ｎを塗布しないように、ノズル部３５を制御するようになっている。なお、一冊の冊子の枚数は、操作盤２６により設定入力可能である。
【００４６】
また、製本する冊子Ｂの頁数が一定でなく、冊子ごとに異なる場合には、表紙Ｐｆ以外の単位用紙１２にマークＭを設けておき、ノズル部３５よりも搬送方向上流側に設けた読み取りセンサ３７でマークＭを検出し、その検出に基づいて当該単位用紙１２に糊を噴射するように、ノズル部３５を制御するようになっている。マークＭは表紙Ｐｆの単位用紙１２に設けてもよく、この場合、マークＭが検出されなかった単位用紙１２のみに糊を塗布すればよい。
【００４７】
また、マークＭ（識別部）は、バーコードやＩＣタグ等により構成することができ、この場合、冊子の枚数（頁数）情報を含ませることができる。そして、読み取りセンサ３７によるマークＭの検出で得られた枚数情報に応じて、糊を塗布すべき単位用紙を判断し、ノズル部３５を制御することができる。
【００４８】
〔積層手段１５の構成〕
図４は、図３のIV-IV矢視図である。図２乃至図４に示すように、積層手段１５は、搬送手段１６によって搬送された単位用紙１２を載置する載置部３２と、載置部３２上の単位用紙１２をガイドして所定の位置に位置決めする位置規制部４０，４１とを有している。
【００４９】
載置部３２は、第２搬送部２３から搬送された単位用紙１２を下側から支持しつつ、搬送方向Ｘに送る搬送支持具３８を備えている。この搬送支持具３８は、第２搬送部２３の下側搬送具２８をそのまま搬送方向下流側に延長することにより構成されている。したがって、搬送支持具３８は、左右一対のベルトコンベアにより構成され、搬送手段１６の搬送方向終端部に位置し、搬送手段１６の第２搬送部２３に隣接している。また、搬送支持具３８は略水平姿勢に配置されており、第２搬送部２３の傾斜搬送部３４に相対して傾斜している。
【００５０】
載置部３２は、さらに、搬送支持具３８以外の位置で単位用紙１２を下側から支持する受けローラ３９を備えており、該受けローラ３９は、搬送支持具３８のローラを支持する軸やその他の軸に、複数設けられている。
【００５１】
搬送手段１６により搬送された単位用紙１２は、搬送支持具３８に受け渡され、位置規制部４０，４１により規制された位置で停止して、そのまま搬送支持具３８及び受けローラ３９上に載置されるようになっている。そして、単位用紙１２は、載置部３２上で積層されることによって、所定の枚数が重ね合わせ面に塗布された糊Ｎにより接着されるようになっている。
【００５２】
位置規制部４０，４１は、載置部３２上の単位用紙１２の幅方向の位置を規制する横位置規制部４０と、搬送方向前後の位置を規制する縦位置規制部４１とを備えている。横位置規制部４０は、専ら載置部３２上に搬送されてきた単位用紙１２の幅方向の位置を規制するガイドローラ（第１横規制部材）４２と、載置部３２上に積層された単位用紙１２全体の幅方向位置を規制するガイドロッド（第２横規制部材）４３と、を有している。
【００５３】
図２に示すように、ガイドローラ４２は、単位用紙１２の幅方向両端の搬送方向前後に対応して合計４つ設けられており、搬送支持具３８を構成するベルトコンベアの軸２１Ｄに取り付けられ、軸２１Ｄとともに回転する。各ガイドローラ４２は、単位用紙１２に対向する外周縁４４がテーパー状にカットされている。
【００５４】
糊噴射用のノズル部３５とは反対側の、単位用紙１２の幅方向一方側に配置された２つのガイドローラ４２は、図２の２点差線で示すように、単位用紙１２の幅に応じて軸２１Ｄに沿って位置調整自在に設けられている。ノズル部３５とは反対側のガイドローラ４２を位置調整自在とすることによって、糊の塗布位置を変えずに単位用紙１２の幅に対応できるようになっている。ただし、ノズル部３５側のガイドローラ４２を単位用紙１２の幅方向に位置調整自在に構成してもよく、この場合、ノズル部３５を同様に位置調整自在に構成すればよい。
【００５５】
ガイドロッド４３は、丸棒（角棒、丸パイプ、角パイプ等であってもよい）により構成され、単位用紙１２の幅方向両側にそれぞれ１つずつ設けられている。各ガイドロッド４３は、上下方向（単位用紙１２の積層方向）に沿って配置され、単位用紙１２の搬送方向の前後中間位置に対応して、前後のガイドローラ４２間に設けられている。ガイドロッド４３の長さは、上端が、単位用紙１２の最大積層量に応じた位置に配置され、下端が、載置部３２上の最下位の単位用紙１２に対応した位置に配置されるように、設定されている。
【００５６】
縦位置規制部４１は、載置部３２上の単位用紙１２の搬送方向前側を位置規制するストッパ板（前規制部材）４５と、同後側を位置規制する後支持ロッド（後規制部材）４６と、を有している。ストッパ板４５は、単位用紙１２の幅方向に沿って立設された板材であり、図３に示すように、装置フレーム１８に対して、単位用紙１２の搬送方向に位置調整自在に設けられている。ストッパ板４５は、上記ガイドロッド４３及び後支持ロッド４６により設定される単位用紙１２の最大積載量よりも低く形成されている。
【００５７】
後支持ロッド４６は、上下方向に沿って配置された丸棒からなり（角棒、丸パイプ、角パイプ等であってもよい）、第２搬送部２３の上側搬送具２７の左右両側に配置され、上側搬送具２７のベルトコンベアの軸２１Ａ，２１Ｂにボルト等により固定されている。
【００５８】
この後支持ロッド４６は、下端が、載置部３２上の最下位の単位用紙１２に対応する位置であって、搬送手段１６からの単位用紙１２の通過に支障がない位置に配置され、上端が、単位用紙１２の最大積層量に対応した位置に配置されるように、長さが設定されており、実質的に上記ガイドロッド４３と略同じ長さとなっている。
【００５９】
図３に示すように、縦横位置規制部４１，４０によって位置規制された状態で載置部３２に載置された単位用紙１２は、その搬送方向Ｘの後端部が載置部３２から後方に突出するようになっている。そして、単位用紙１２の後端部と第２搬送部２３の傾斜搬送部３４との間には空間（挿入空間）Ｓが形成されている。図５は、搬送部から載置部への単位用紙の移動状態を説明する概略側面図であり、第２搬送部２３により搬送された単位用紙１２は、水平搬送部３３から傾斜搬送部３４に移行したときに空間Ｓ内で斜め上方に向けられ、載置部３２上に先に搬送された最下位の単位用紙１２の下側に挿入されるようになっている。
【００６０】
図３に示すように、前記載置部３２には、載置部上の単位用紙１２を上から押さえる押さえ部材５０が設けられている。この押さえ部材５０は、単位用紙１２と略同じ大きさの板材により形成されている。本実施形態では、アクリル等の樹脂材により透明に形成されており、押さえ部材５０の下方の様子を視認できるようになっている。押さえ部材５０の上面には、門型の取手５１が設けられている。
【００６１】
〔積層量検知手段１９、報知手段及び停止手段の構成〕
積層量検知手段１９は、図４に示すように、左右のガイドロッド４３の上部に設けられた検知センサー４７を備えている。検知センサー４７は、透過型、反射型等のフォトセンサーであり、載置部３２上の単位用紙１２の積層量が所定に達したときに単位用紙１２を検出するようになっている。
【００６２】
報知手段は、検知センサー４７によって単位用紙１２を検出したときに、その検出信号に基づいてオペレータにそのことを報知する機能を有する。この報知手段は、ライトやブザー等により、視覚的、聴覚的に報知する構成にすることができる。
【００６３】
停止手段は、報知手段による報知後、オペレータが載置部３２上から冊子を取り出さず、検知センサー４７による検出状態が所定時間以上続くと、製本装置１０を自動停止する機能を有する。
【００６４】
〔製本装置１０による製本動作の説明〕
以下、上記構成の製本装置１０の製本動作について説明する。運転開始前、製本装置１０の載置部３２は空の状態であり、該載置部３２には、押さえ部材５０のみを載置しておく。この際、押さえ部材５０の後端部は、載置部３２から後方に突出している。
【００６５】
運転を開始すると、供給装置１１（図１）において、連続用紙１３が破断されることによって形成された単位用紙１２が、連続的に製本装置１０に供給される。製本装置１０では、供給された単位用紙１２が搬送手段１６の第１搬送部２２によって受け取られ、さらに搬送されるとともに、用紙検出センサー３６（図６）の検出に基づいて、糊塗布用のノズル部３５から糊が噴射され、表紙Ｐｆ以外の単位用紙１２の上面に塗布される。図６では、単位用紙４枚を１組とした冊子Ｂを作成する状態を示しており、単位用紙１２は、表紙Ｐｆから最終頁Ｐｒの順で搬送され、表紙Ｐｆ以外の単位用紙１２の上面に糊Ｎが塗布されている。
【００６６】
第１搬送部２２から第２搬送部２３に受け渡された１枚目の単位用紙１２は、図５に示すように、傾斜搬送部３４によって斜め上方に指向しながら、載置部３２上に搬送される。この際、単位用紙１２は、載置部３２上の押さえ部材５０の下側に挿入される。したがって、単位用紙１２が搬送の勢い等で上方に捲れ上がることがなく、高速での単位用紙１２の搬送を可能にしている。
【００６７】
図２に示すように、単位用紙１２は、横位置規制部４０によって幅方向に位置規制されながら搬送支持具３８により搬送され、ストッパ板４５に当たったところで停止する。ガイドローラ４２は、搬送支持具３８とともに回転するため、単位用紙１２の幅方向両側をスムーズにガイドすることができ、ガイドローラ４２の外周縁４４がテーパーカットされているため、単位用紙１２がガイドローラ４２に引っ掛かることが少なくなっている。
【００６８】
押さえ部材５０は、少なくとも数枚目の単位用紙１２が載置部３２に載置された後はいつでも取り外すことができる。
【００６９】
次の単位用紙１２は、直前に載置部３２上に搬送された単位用紙１２の下側に挿入され、その後、下へ下へと順次単位用紙１２が積層される。したがって、２枚目以降の単位用紙１２も上方に捲れ上がることなく積層される。
【００７０】
載置部３２上に積層された単位用紙１２は、上位の単位用紙１２の重量により、又は押さえ部材５０の重量によって、互いの重ね合わせ面で糊により接着され、冊子が作成される。図６では、単位用紙４枚を一組とした冊子Ｂが、載置部３２上で作成されている。このとき表紙Ｐｆが上に最終頁Ｐｒが下になっている。
【００７１】
載置部３２上には、単位用紙１２が順次下方に積層されるため、搬送された直後の単位用紙１２に対して最も荷重がかかるようになっている。運転開始当初の積層量が少ないときは、単位用紙１２自体の重量は小さいが、押さえ部材５０の重量が加わり、ある程度積層されたあとは、押さえ部材５０がなくても単位用紙１２自体の重量によって荷重がかかる。したがって、全ての単位用紙１２に接着に必要なある程度の荷重を与えることができ、プレス等の押圧装置は不要で、構造の簡素化が可能になっている。
【００７２】
また、載置部３２に載置した単位用紙１２の搬送方向Ｘ後端部を第２搬送部２３側に突出させ、第２搬送部２３（傾斜搬送部３４）を載置部３２に相対して傾斜させていることで、簡単な構成により、単位用紙１２を順次下方に積層することができるようになっている。
【００７３】
載置部３２上で作成された冊子の上方は、押さえ部材５０を取り外すことによって開放されるため、上側の冊子から取り出すことができるようなっている。また、載置部３２上には、先に作成された冊子が上側に、後に作成された冊子が下側に積層されるため、作成した順番で冊子を載置部３２から取り出すことができる。また、単位用紙１２が下方に順次積層されるため、冊子を取り出すときに製本装置１０の運転を停止する必要もない。
【００７４】
ストッパ板４５は、少なくとも最下位の単位用紙１２の位置規制を行えばよいため、低く形成することができ、低く形成することによって、作成された冊子を搬送方向Ｘの前方へ取り出しやすくなっている。
【００７５】
図４に示すように、載置部３２上に、作成された冊子が貯まっていき、所定以上に積層された場合は、積層量検知手段１９の検知センサー４７によって検出され、報知手段によってオペレータに報知される。したがって、オペレータは、載置部３２上に冊子が過剰に積層される前に、載置部３２から冊子を取り出すことができる。
【００７６】
報知手段による報知がなされたにも関わらず、冊子が取り出されない場合、停止手段によって製本装置１０が停止する。これによって、載置部３２上に冊子が過剰に積層されるのを防止できる。
【００７７】
〔他の実施形態〕
本発明は、上記実施形態に限定されるものではなく、例えば、以下のように変更することができる。
【００７８】
（１）図７は、第２搬送部２３と載置部３２との配置を変更した他の実施形態であり、第２搬送部２３が、載置部３２に対して相対的に傾斜しているが、略水平に配置され、載置部３２が搬送方向前方が低位となるように傾斜している。載置部３２上の単位用紙１２の搬送方向後端部は、載置部３２から後方に突出し、単位用紙１２の後端部と第２搬送部２３の下側搬送具２８との間に空間Ｓが形成されている。第２搬送部２３で搬送された単位用紙１２は、載置部３２上の最下位の単位用紙１２の下側に挿入されるようになっている。
【００７９】
（２）図８も、第２搬送部２３と載置部３２との配置を変更した他の実施形態であり、第２搬送部２３が、搬送方向前方が上位となるように傾斜し、載置部３２が、搬送方向前方が低位となるように傾斜している。載置部３２上の単位用紙１２の搬送方向後端部は、載置部３２から後方に突出し、単位用紙１２の後端部と第２搬送部２３の下側搬送具２８との間には空間Ｓが形成されている。第２搬送部２３で搬送された単位用紙１２は、載置部３２上の最下位の単位用紙１２の下側に挿入されるようになっている。
【００８０】
（３）図７及び図８に示すように、第２搬送部２３の上側搬送具２７は、搬送方向前後の２つのローラ２０にベルトを巻回したベルトコンベアで構成することができる。
【００８１】
（４）横位置規制部４０のガイドローラ４２（図２）は、搬送方向Ｘに沿って配置された板材等により構成することができ、ガイドロッド４３、後支持ロッド４６も、同様に板材等により構成することができる。ストッパ板４５は、単位用紙１２の全幅に対応するように幅方向に長く形成されているが、幅方向に短いものを複数並設することにより構成することができる。また、板材に限らず、ロッド等により構成することができる。
【００８２】
（５）搬送手段１６は、第１搬送部２２と第２搬送部２３とに分離されているが、一つに連続した搬送部として構成することができる。また、第２搬送部２３の下側搬送具２８と、搬送手段１６の載置部３２とは、同一のベルトコンベアにより構成されているが、これらを別体で構成することができる。載置部３２の搬送支持具３８は、ベルトコンベアではなくローラコンベアで構成することができる。載置部３２は、軸上で遊転する遊転ローラにより構成してもよい。
【００８３】
（６）押さえ部材５０は必ずしも必要ではなく、単位用紙１２の搬送速度が速い場合のみに用いるようにしてもよい。
【００８４】
（７）製本装置１０に単位用紙１２を供給する供給装置１１として、上記実施形態では、連続用紙１３を単位用紙１２ごとにミシン目で破断するものとなっているが、連続用紙１３ではなく単体のシートをミシン目で破断、又はカッターで切断することによって単位用紙１２を形成し、この単位用紙１２を製本装置１０に供給するものであってもよい。また、上記特許文献３に記載のように、連続用紙を幅方向中央で切断するとともに、幅方向両側の連続用紙を重ね合わせて接着し、これを単位用紙ごとに破断して供給する形式のものであってもよい。
【産業上の利用可能性】
【００８５】
本発明は、税金の納付通知書等の糊綴じされた伝票を作成するための製本装置として有効に利用できる。
【図面の簡単な説明】
【００８６】
【図１】本発明の実施形態にかかる製本装置の側面断面図である。
【図２】製本装置の平面図である。
【図３】搬送手段（第２搬送部）及び積層手段を拡大して示す側面図である。
【図４】図３のIV-IV矢視図である。
【図５】搬送部から載置部への単位用紙の移動状態を説明する概略側面図である。
【図６】製本装置により単位用紙を搬送し、積層して冊子を作成する様子を概略的に示した斜視図である。
【図７】他の実施形態に係る搬送部及び載置部の概略側面図である。
【図８】他の実施形態に係る搬送部及び載置部の概略側面図である。
【図９】従来技術に係る、単位用紙を搬送し積層して冊子を作成する様子を概略的に示した斜視図である。
【図１０】従来技術に係る、単位用紙を搬送し積層して冊子を作成する様子を概略的に示した斜視図である。
【符号の説明】
【００８７】
１０  製本装置
１２  単位用紙
１５  積層手段
１６  搬送手段
１７  糊塗布手段
１９  積層量検知手段
３２  載置部
３４  傾斜搬送部
３７  読み取りセンサ
４０  横位置規制部
４１  縦位置規制部
４２  ガイドローラ（第１横規制部材）
４３  ガイドロッド（第２横規制部材）
４５  ストッパ板（前規制部材）
４６  後支持ロッド（後規制部材）
【図１】
2006168312.tif 000003
【図２】
2006168312.tif 000004
【図３】
2006168312.tif 000005
【図４】
2006168312.tif 000006
【図５】
2006168312.tif 000007
【図６】
2006168312.tif 000008
【図７】
2006168312.tif 000009
【図８】
2006168312.tif 000010
【図９】
2006168312.tif 000011
【図１０】
2006168312.tif 000012